(57)【要約】【課題】  印刷用紙サイズに応じた適切な領域のスキャン画像を無駄なく取得するための撮像制御装置、撮像システム及び撮像制御プログラムを提供する。【解決手段】  原稿を読み取る撮像システムの撮像部を制御するための撮像制御装置であって、第一読み取り範囲を設定する第一設定手段と、アスペクト比が印刷用紙サイズのアスペクト比に対応する第二読み取り範囲を印刷用紙サイズの設定情報に基づいて前記第一読み取り範囲内に設定する第二設定手段と、前記第二読み取り範囲を前記撮像部に読み取らせることによりスキャン画像を前記撮像部から出力させるスキャン制御手段と、を備えることを特徴とする撮像制御装置。【選択図】    図１
2006033136.tif 000002
【特許請求の範囲】
【請求項１】
原稿を読み取る撮像システムの撮像部を制御するための撮像制御装置であって、
第一読み取り範囲を設定する第一設定手段と、
アスペクト比が印刷用紙サイズのアスペクト比に対応する第二読み取り範囲を印刷用紙サイズの設定情報に基づいて前記第一読み取り範囲内に設定する第二設定手段と、
前記第二読み取り範囲を前記撮像部に読み取らせることによりスキャン画像を前記撮像部から出力させるスキャン制御手段と、
を備えることを特徴とする撮像制御装置。
【請求項２】
前記第二読み取り範囲を画面に表示する読み取り範囲表示手段をさらに備えることを特徴とする請求項１に記載の撮像制御装置。
【請求項３】
前記印刷用紙サイズの設定情報の設定操作を受け付ける用紙設定手段をさらに備えることを特徴とする請求項１又は２に記載の撮像制御装置。
【請求項４】
前記原稿の予め決められた範囲を前記撮像部に読み取らせることによりプレスキャン画像を前記撮像部から出力させるプレスキャン制御手段をさらに備え、
前記第一設定手段は、前記プレスキャン画像と前記第一読み取り範囲に対応した画面内領域を示すマークとを重ねて前記画面に表示し、前記画面内領域の変更操作を受け付けることを特徴とする請求項１〜３のいずれか一項に記載の撮像制御装置。
【請求項５】
前記読み取り範囲表示手段は、前記スキャン画像の前記第二読み取り範囲に対応する領域を前記画面に前記第一設定手段が前記プレスキャン画像を前記画面に表示する倍率よりも高い倍率で表示することを特徴とする請求項４に記載の撮像制御装置。
【請求項６】
前記印刷用紙サイズの設定情報に応じた印刷用紙に前記スキャン画像を印刷装置で印刷させる印刷制御手段をさらに備えることを特徴とする請求項１〜５のいずれか一項に記載の撮像制御装置。
【請求項７】
前記印刷用紙サイズの設定情報に応じて前記撮像部の解像度を設定する解像度設定手段をさらに備えることを特徴とする請求項１〜６のいずれか一項に記載の撮像制御装置。
【請求項８】
請求項１〜７のいずれか一項に記載の前記撮像制御装置と、
前記撮像部と、
を備えることを特徴とする撮像システム。
【請求項９】
前記スキャン画像を外部記憶媒体に保存する保存手段をさらに備えることを特徴とする請求項８に記載の撮像システム。
【請求項１０】
原稿を読み取る撮像システムの撮像部を制御するためのコンピュータを、
第一読み取り範囲を設定する第一設定手段と、
アスペクト比が印刷用紙サイズのアスペクト比に対応する第二読み取り範囲を、印刷用紙サイズの設定情報に基づいて前記第一読み取り範囲内に設定する第二設定手段と、
前記第二読み取り範囲を前記撮像部に読み取らせることによりスキャン画像を前記撮像部から出力させるスキャン制御手段と、
して機能させることを特徴とする撮像制御プログラム。
【発明の詳細な説明】
【技術分野】
【０００１】
本発明は、撮像制御装置、撮像システム及び撮像制御プログラムに関し、特に原稿読み取り範囲の設定方法に関する。
【背景技術】
【０００２】
従来、パーソナルコンピュータ（ＰＣ）の制御下でスキャナに原稿を読み取らせ、スキャナが読み取った原稿をＰＣでユーザが設定したサイズの印刷用紙にプリンタで印刷させる画像処理システムが知られている。ユーザが設定する印刷用紙サイズのアスペクト比とスキャン画像のアスペクト比とが異なる場合、スキャン画像の一部を切り出して印刷用紙に配置したり、印刷用紙に原稿の全体像が収まるようにスキャン画像を拡大縮小する処理が必要になる。予め決められた一定の読み取り範囲又はユーザが指定する読み取り範囲の画像を読み取った後、図１３（Ａ）に示すように、用紙２１０のサイズに合わせてスキャン画像２１２の端部２０４を切り捨て、その残部を用紙２１０に余白無く印刷する画像処理システムが知られている。しかし、予め決められた一定の読み取り範囲の画像を読み取った後にスキャン画像２１２の一部が切り捨てられるため、切り捨てられる領域の読み取り処理及び画像処理が無駄になるという問題がある。また、図１３（Ｂ）に示すようなプレスキャン画像２１２が表示された画面２００でユーザに読み取り範囲２０６を設定させる場合、用紙２１０のアスペクト比に応じてスキャン画像の端部領域を切り捨てて印刷すると、印刷される領域が画面で設定した読み取り範囲２０６と対応しないという問題がある（図はハッチングを付した画面上の領域２１６に対応する領域が印刷結果に現れないことを示している。）。
【発明の開示】
【発明が解決しようとする課題】
【０００３】
本発明は、上記の問題を解決するために創作されたものであって、印刷用紙サイズに応じた適切な領域のスキャン画像を無駄なく取得するための撮像制御装置、撮像システム及び撮像制御プログラムを提供することを目的とする。
【課題を解決するための手段】
【０００４】
上記目的を達成するための撮像制御装置は、原稿を読み取る撮像システムの撮像部を制御するための撮像制御装置であって、第一読み取り範囲を設定する第一設定手段と、アスペクト比が印刷用紙サイズのアスペクト比に対応する第二読み取り範囲を、印刷用紙サイズの設定情報に基づいて前記第一読み取り範囲内に設定する第二設定手段と、前記第二読み取り範囲を前記撮像部に読み取らせることによりスキャン画像を前記撮像部から出力させるスキャン制御手段と、を備える。設定された第一読み取り範囲内で印刷用紙サイズに対応した領域を制御部に読み取らせることにより、撮像制御装置は、印刷用紙サイズに応じた適切な領域のスキャン画像を無駄なく取得することが可能になる。
【０００５】
上記目的を達成するための撮像制御装置は、前記第二読み取り範囲を画面に表示する読み取り範囲表示手段をさらに備えてもよい。第二読み取り範囲が画面に表示されることにより、ユーザは撮像部に読み取られる範囲を正確に把握することができる。
上記目的を達成するための撮像制御装置は、前記印刷用紙サイズの設定情報の設定操作を受け付ける用紙設定手段をさらに備えてもよい。
【０００６】
上記目的を達成するための撮像制御装置は、前記原稿の予め決められた範囲を前記撮像部に読み取らせることによりプレスキャン画像を前記撮像部から出力させるプレスキャン制御手段をさらに備え、前記第一設定手段は、前記プレスキャン画像と前記第一読み取り範囲に対応した画面内領域を示すマークとを重ねて前記画面に表示し、前記画面内領域の変更操作を受け付けてもよい。これにより、ユーザは任意の第一読み取り範囲を設定することができる。
【０００７】
前記読み取り範囲表示手段は、前記スキャン画像の前記第二読み取り範囲に対応する領域を前記画面に前記第一設定手段が前記プレスキャン画像を前記画面に表示する倍率よりも高い倍率で表示してもよい。これにより、ユーザは撮像部に読み取られる範囲をより正確に把握することができる。
上記目的を達成するための撮像制御装置は、前記印刷用紙サイズの設定情報に応じた印刷用紙に前記スキャン画像を印刷装置で印刷させる印刷制御手段をさらに備えてもよい。
【０００８】
上記目的を達成するための撮像制御装置は、前記印刷用紙サイズの設定情報に応じて前記撮像部の解像度を設定する解像度設定手段をさらに備えてもよい。これにより、印刷品質を高く維持しつつ、読み取りから印刷までの処理を高速化することができる。
上記目的を達成するための撮像システムは、上記いずれかの前記撮像制御装置と、前記撮像部とを備える。
上記目的を達成するための撮像システムは、前記スキャン画像を外部記憶媒体に保存する保存手段をさらに備えてもよい。
【０００９】
上記目的を達成するための撮像プログラムは、原稿を読み取る撮像システムの撮像部を制御するためのコンピュータを、第一読み取り範囲を設定する第一設定手段と、アスペクト比が印刷用紙サイズのアスペクト比に対応する第二読み取り範囲を、印刷用紙サイズの設定情報に基づいて前記第一読み取り範囲内に設定する第二設定手段と、前記第二読み取り範囲を画面に表示する読み取り範囲表示手段と、前記第二読み取り範囲を撮像部に読み取らせることによりスキャン画像を前記撮像部から取得するスキャン制御手段と、して機能させる。設定された第一読み取り範囲内で印刷用紙サイズに対応した領域を制御部に読み取らせることにより、撮像制御装置は、印刷用紙サイズに応じた適切な領域のスキャン画像を無駄なく取得することが可能になる。
【００１０】
尚、本発明に備わる複数の手段の各機能は、構成自体で機能が特定されるハードウェア資源、プログラムにより機能が特定されるハードウェア資源、又はそれらの組み合わせにより実現される。また、これら複数の手段の各機能は、各々が物理的に互いに独立したハードウェア資源で実現されるものに限定されない。
【発明を実施するための最良の形態】
【００１１】
以下、本発明を実施するための最良の形態を実施例に基づいて説明する。
図２は本発明の撮像システムの一実施例としてのスキャナ１の外観を示す斜視図である。図３はスキャナ１の内部構造を示す模式図である。図４はスキャナ１を示すブロック図である。スキャナ１は図示しないＰＣから独立して作動可能な原稿搬送型の画像読み取り装置である。スキャナ１は原稿を読み取って生成したスキャン画像を請求項に記載の外部記憶媒体としてのリムーバブルメモリ３に保存可能である。スキャナ１はスキャン画像を請求項に記載の印刷装置としてのプリンタ２に印刷させることができる。スキャナ１はＰＣの制御下でも作動し、スキャン画像をＰＣにも出力可能である。なお、スキャナ１はフラットベッド型の画像読み取り装置であっても良い。
【００１２】
原稿ホルダ１０２は、３５ｍｍストリップフィルム、３５ｍｍマウントフィルム、４×５インチ等の各種形式のフィルム又は紙焼き写真等の原稿１０４を保持する。原稿ホルダ１０２は筐体１０６に形成されたスロット１０８から筐体１０６の内部に挿入される。筐体１０６の内部では、原稿ホルダ１０２は複数のローラ１１０によってＡＢ方向に往復移動自在に支持される。モータ１１２は図示しないギア等の動力伝達装置を介してローラ１１０を駆動し原稿ホルダ１０２を往復移動させる。
【００１３】
第一光源１１４、第二光源１１６、第三光源１１８は、それぞれ原稿１０４が反射原稿、ポジフィルム、ネガフィルムである場合に使用される白色冷陰極蛍光ランプ等の照明手段である。第一光源１１４と第二光源１１６と第三光源１１８は原稿ホルダ１０２によって所定位置に保持された原稿１０４を照明する。３つの光源を原稿種別によって使い分けることにより、原稿色の再現性を向上させることができる。
【００１４】
ミラー１２０及びレンズ１２２は、第一光源１１４に照明された原稿１０４の反射光と、第二光源１１６又は第三光源１１８に照明された原稿１０４の透過光とをイメージセンサ１２４の受光面に入射させる。
イメージセンサ１２４は、フォトダイオード等で構成される図示しないセルが直線的に多数配列された所謂リニアイメージセンサである。イメージセンサ１２４の各セルには受光量に応じた電荷が光電変換により蓄積される。イメージセンサ１２４は、レンズ縮小型でもよいし、密着型でもよいし、ＣＣＤイメージセンサでもよいし、ＣＭＯＳイメージセンサでもよい。
【００１５】
ＡＦＥ（Analog Front End）１２６は、ＣＤＳ（Correlated Double Sampling）処理、画像の黒レベルを再現するためのオプティカル・ブラック・クランプ制御、画像の電気信号のゲインの調整による電気信号のレベル調整処理、量子化処理等を行ってディジタル化されたスキャン画像を画像処理部１２８に出力する。
画像処理部１２８は、ガンマ補正、画質調整、拡大縮小、色空間変換、データ圧縮等の画像処理をスキャン画像に施すための信号処理を制御部１３０と協働して行うＤＳＰ（Digital Signal Processor）である。
以上説明した第一光源１１４と第二光源１１６と第三光源１１８とモータ１１２とミラー１２０とレンズ１２２とイメージセンサ１２４とＡＦＥ１２６と画像処理部１２８とは、撮像部１２を構成している。
【００１６】
制御部１３０は、図示しないＣＰＵとＲＯＭとＲＡＭと入出力インタフェイスとを備える。制御部１３０は、ＲＯＭに記憶されている制御プログラムをＲＡＭにロードしてＣＰＵで実行することによって、スキャナ１の全体を制御する撮像制御装置として機能する。また制御部１３０は、画像処理部１２８と協働してガンマ補正、画質調整、拡大縮小、色空間変換、データ圧縮等の画像処理をスキャン画像に施す。ＲＯＭに記憶される制御プログラムは、請求項に記載の撮像制御プログラムに相当し、所定のサーバからネットワークを介してダウンロードしてもよいし、コンピュータ読み取り可能な記憶媒体から読み込んでもよい。制御部１３０は、インタフェイス１３２を介してプリンタ２、図示しないＰＣ等の外部機器と通信する。制御部１３０は、請求項に記載の第一設定手段と、第二設定手段と、スキャン制御手段と、プレスキャン制御手段と、読み取り範囲表示手段と、印刷制御手段と、解像度設定手段として機能する。
【００１７】
保存手段としてのメモリコントローラ１３４には、外部記憶媒体としてのリムーバブルメモリ３が脱着自在に接続される。リムーバブルメモリ３は筐体１０６に形成されたカードスロット１３４０から筐体１０６の内部に挿入される。メモリコントローラ１３４は、画像処理部１２８から出力されるスキャン画像等をリムーバブルメモリ３に格納する。なお、スキャナ１は、スキャン画像をＰＣのハードディスクや、外付けのＤＶＤドライブ、ＣＤＲドライブ等に保存しても良いし、ネットワークに接続されたサーバにスキャン画像をアップロードしても良い。
【００１８】
操作部１３６は、ユーザがスキャナ１を操作するための各種のキーを備えている。操作部１３６は、ほとんど全ての操作を方向指示キー１３６１、１３６３、１３６５、１３６７とＯＫキー１３６２とキャンセルキー１３６４によるメニュー操作で受け付ける。モード選択キー１３６６、１３６８、１３６９、１３７０が押下されると、それぞれのキーに応じたモードでスキャナ１が作動する。
【００１９】
表示部１３８は、ユーザがスキャナ１を操作するためのメニューを表示するための画面１３８０を備えている。画面１３８０はＬＣＤ等で構成される。
以上説明した操作部１３６及び表示部１３８は、制御部１３０と協働することにより請求項に記載の用紙設定手段として機能する。また、操作部１３６、表示部１３８及び制御部１３０は、請求項に記載の撮像制御装置の一例を構成している。
【００２０】
図５は、制御プログラムを制御部１３０で実行しているスキャナ１の論理的な構成を示すブロック図である。
印刷設定部１４０は、表示部１３８の画面１３８０に印刷設定メニューを表示し、操作部１３６の出力信号に応じて、印刷用紙サイズと、印刷品質と、フチの有無とを特定する印刷設定情報を設定する。尚、印刷用紙サイズを変更する専用キーや印刷品質を変更する専用キーの押下によって、表示部１３８の画面１３８０を用いずに、印刷用紙サイズや印刷品質の設定操作を受け付けてもよい。また、印刷用紙サイズは、Ａ３、Ａ４、Ｌ版等の規格サイズを設定可能にしても良いし、ミリ単位又はインチ単位で設定可能にしても良い。
【００２１】
範囲変更部１４２は、読み取り範囲の変更を行う。読み取り範囲は、プレスキャン範囲内に設定可能なの矩形の領域である。また、範囲変更部１４２は、図８に示すように、プレスキャン画像１３８４と読み取り範囲に対応する第一矩形枠１３８２とを重ねて表示部１３８の画面１３８０に表示する。プレスキャン画像１３８４に対する第一矩形枠１３８２の位置及び大きさは、プレスキャン範囲に対する読み取り範囲の位置及び大きさと相似の関係にある。範囲変更部１４２は、操作部１３６の出力信号に応じて読み取り範囲の位置と大きさを変更し、第一矩形枠１３８２の位置と大きさを読み取り範囲に応じて変更する。この第一矩形枠１３８２は請求項に記載の「画面内領域を示すマーク」に相当する。範囲変更部１４２は、プレスキャン画像１３８４を拡大縮小せずにそのままの大きさで第一矩形枠とともに表示部１３８の画面１３８０に表示する。このとき、画面１３８０に表示されるプレスキャン画像１３８４は、予め決められたプレスキャン範囲に存在する対象物を表している。画面１３８０にハッチングを付して示した領域１３８５は、プレスキャン画像の外側領域である。尚、「画面内領域を示すマーク」は、矩形枠でなくても、例えば、読み取り範囲に対応した画面内領域の四隅を示す４つのマーク（十字形、Ｌ字形等）であってもよいし、画面内領域に一致する半透明の矩形であってもよい。また、画面内領域をフルカラーで表示し、画面内領域の外側の領域をモノクロで表示するなど、画面内領域の内外で階調表現や画質を変えることによって、読み取り範囲に対応した画面内領域を示してもよい。
【００２２】
解像度設定部１４４は、印刷設定部１４０によって設定された印刷用紙サイズ及び印刷品質に応じて撮像部１２の解像度を設定する。具体的には、印刷品質に応じて印刷解像度を変化させ、印刷範囲と印刷解像度との積算値であるスキャン画像のサイズと読み取り範囲のサイズとに応じて撮像部１２の解像度を設定する。印刷品質が高いほど、また、印刷範囲が広いほど撮像部の解像度を上げ、逆に、印刷品質が低いほど、また、印刷範囲が狭いほど撮像部１２の解像度を下げることにより、撮像部１２は印刷設定に応じた適切な処理量でスキャン画像を生成することができる。なお、解像度設定部は、印刷品質、印刷用紙サイズのいずれか一方のみに応じて解像度を設定しても良いし、印刷品質及び印刷用紙サイズに加えてそれら以外の設定に応じても解像度を設定しても良い。
【００２３】
プレスキャン画像取得部１４６は、原稿ホルダ１０２によって決まるプレスキャン範囲を撮像部１２に読み取らせることにより１又は２以上のプレスキャン画像を取得する。具体的には、原稿ホルダ１０２に３５ｍｍストリップフィルムがセットされている場合、プレスキャン画像取得部１４６は、原稿ホルダ１０２の種類を検出した後にフィルムの露光対象領域全体をプレスキャン範囲として設定し、プレスキャン範囲を比較的低解像度で撮像部１２に読み取らせる。次に撮像部１２に読みとらせて得た画像をプレスキャン画像取得部１４６が解析し、被写体が記録されているフレームの領域を全て抽出し、抽出したそれぞれの画像をプレスキャン画像とする。また、原稿ホルダ１０２に３５ｍｍマウントフィルムがセットされている場合、プレスキャン画像取得部１４６は原稿ホルダ１０２の種類を検出した後に原稿ホルダ１０２の複数の開口部に対応する複数のプレスキャン範囲をそれぞれ比較的低解像度で撮像部１２に読み取らせ、撮像部１２が読み取って得たそれぞれの画像をプレスキャン画像とする。
【００２４】
読み取り範囲設定部１４８は、範囲変更部１４２において変更された読み取り範囲に応じて、読み取り範囲の再設定を行う。すなわち、範囲変更部１４２において設定された読み取り範囲内にプレスキャン画像の外側領域が含まれている場合は、プレスキャン画像の内側領域内に印刷用紙サイズのアスペクト比と同一アスペクト比で最大面積の矩形領域を読み取り範囲として再設定する。再設定する読み取り領域のアスペクト比は、印刷用紙サイズのアスペクト比と一致していなくても、印刷範囲のアスペクト比とほぼ同一であればよく、例えば左右上下のフチを除いた印刷範囲のアスペクト比と一致させてもよいし、四辺フチ無し印刷時に印刷用紙からはみ出すマージンを含めた印刷範囲のアスペクト比と一致させても良い。
【００２５】
スキャン画像取得部１５０は、読み取り範囲設定部１４８によって設定された読み取り範囲を解像度設定部１４４によって設定された解像度で撮像部１２に読み取らせ、スキャン画像を取得する。
印刷制御部１５２は、スキャン画像取得部１５０で取得したスキャン画像を、印刷設定部１４０によって設定された印刷条件でプリンタ２に印刷させる。具体的には、印刷制御部１５２は、印刷設定に基づいてスキャン画像にハーフトーン処理、インターレース処理等を施して印刷データを生成し、印刷設定に応じた印刷コマンドと印刷データとをプリンタ２に出力し、印刷設定に応じてプリンタ２にスキャン画像を印刷させる。
以上、スキャナ１の構成を説明した。以下、スキャナ１の作動を説明する。
【００２６】
図１は、前述の制御プログラムによって作動するスキャナ１の作動を示すフローチャートである。図１に示すフローチャートは、原稿ホルダ１０２に３５ｍｍストリップフィルム又は３５ｍｍマウントフィルムがセットされている場合の処理の流れを示している。
ステップＳ１０では、スキャナ１はプレスキャン範囲を低解像度で読み取り、各フレームのプレスキャン画像を生成する。具体的には、プレスキャン画像取得部１４６として機能している制御部１３０と撮像部１２が協働することにより、１又は２フレーム以上のプレスキャン画像を生成する。プレスキャン画像を生成するとき、撮像部１２の解像度は例えば１００ｄｐｉに設定する。
【００２７】
ステップＳ１２では、スキャナ１は各フレームのプレスキャン画像を画面表示し、印刷対象とするフレームの選択操作を受け付ける。具体的には、制御部１３０が表示部１３８の画面１３８０に例えば図６に示す画像選択メニューを表示し、方向指示キー１３６１、１３６３、１３６５、１３６７が押下されることによって操作部１３６から出力される信号に応じて制御部１３０が印刷対象のフレームを設定する。
【００２８】
ステップＳ１４では、スキャナ１は印刷対象フレームについて印刷設定操作を受け付ける。具体的には、印刷設定部１４０として機能している制御部１３０が表示部１３８の画面１３８０に例えば図７に示す印刷設定メニューを表示する。印刷設定メニューでは、方向指示キー１３６１、１３６３、１３６５、１３６７によって設定項目として、用紙種類と、印刷用紙サイズと、トリミング枠と、印刷品質と、フチ処理とを選択可能である。用紙種類は写真用紙、普通用紙等が選択可能に表示される。印刷用紙サイズはＡ３ノビ、Ａ３、Ａ４、ハガキ、Ｌ、２Ｌ等が選択可能に表示される。トリミング枠のアスペクト比の設定としては用紙比率又は任意比率が選択可能に表示される。印刷品質は高精細又は高速が選択可能に表示される。フチ処理の設定としてはフチあり又はフチ無しが選択可能に表示される。
【００２９】
ステップＳ１６では、スキャナ１は、印刷対象フレームについて、読み取り範囲に対応する第一矩形枠１３８２とプレスキャン画像１３８４とを重ねて画面表示する。具体的には、範囲変更部１４２として機能している制御部１３０は、例えば図８に示すように、印刷対象フレームのプレスキャン画像１３８４と、第一矩形枠１３８２とを表示部１３８の画面１３８０に表示する。このとき制御部１３０は、プレスキャン画像１３８４の全体が画面１３８０に収まるようにプレスキャン画像１３８４を表示する。プレスキャン画像１３８４の外縁をユーザが視認できるように、プレスキャン画像１３８４の外側領域１３８５（ハッチングが付された領域）は例えば黒色などで表示する。また、読み取り範囲の大きさは、例えばプレスキャン範囲の７０％の大きさとする。読み取り範囲の大きさがプレスキャン範囲より小さくなると、読み取り範囲はプレスキャン範囲内で移動可能になる。これにより、第一矩形枠１３８２もプレスキャン画像１３８４の７０％の大きさで画面１３８０に表示される。
【００３０】
ステップＳ１８では、スキャナ１は読み取り範囲の位置の確定操作が行われたか否かを判定し、確定操作が行われるとステップＳ２４に進み、行われないとステップＳ２０に進む。具体的には、範囲変更部１４２として機能している制御部１３０は、ＯＫキー１３６２が押下されたか否かによって確定操作の有無を判定する。
ステップＳ２０では、スキャナ１は、読み取り範囲の移動操作を受け付けたか判定し、移動操作を受け付けるとステップＳ２２に進み、受け付けないとステップＳ１８に進む。具体的には、範囲変更部１４２として機能している制御部１３０は、方向指示キー１３６１、１３６３、１３６５、１３６７が押下されたか否かによって移動操作の有無を判定する。
【００３１】
ステップＳ２２では、スキャナ１は、読み取り範囲を移動させる。具体的には、範囲変更部１４２として機能している制御部１３０は、方向指示キー１３６１、１３６３、１３６５、１３６７が押下されることによって操作部１３６から出力される信号に応じて、読み取り範囲を移動させ、読み取り範囲の移動に応じて例えば図９に示すように第一矩形枠１３８２を画面１３８０上で平行移動させる。ステップＳ２０及びステップＳ２２は、読み取り範囲の位置の確定操作が行われるまで繰り返される。
【００３２】
ステップＳ２４では、スキャナ１は、読み取り範囲の大きさの確定操作が行われたか否かを判定し、確定操作が行われるとステップＳ３０に進み、行われないとステップＳ２６に進む。具体的には、範囲変更部１４２として機能している制御部１３０は、ＯＫキー１３６２が押下されたか否かによって大きさの確定操作の有無を判定する。
ステップＳ２６では、スキャナ１は、読み取り範囲の大きさを変更する操作を受け付けたか判定し、受け付けるとステップＳ２８に進み、受け付けないとステップＳ２４に進む。具体的には、範囲変更部１４２として機能している制御部１３０は、方向指示キー１３６１、１３６３、１３６５、１３６７が押下されたか否かによって読み取り範囲の大きさを変更する操作の有無を判定する。
【００３３】
ステップＳ２８では、スキャナ１は矩形の読み取り範囲の外縁の頂点の１つの位置を固定して、その頂点を含まない２辺をそれぞれの辺の垂線方向にそれぞれ移動させることにより読み取り範囲を変更し、読み取り範囲の変更に応じて第一矩形枠１３８２を変形する。具体的には例えば、図１０に示すように、範囲変更部１４２として機能する制御部１３０は、右方向指示キー１３６１が押下されると、読み取り範囲の拡張に応じて第一矩形枠１３８２の右辺を右に移動させ、左方向指示キー１３６３が押下されると読み取り範囲の縮小に応じて第一矩形枠１３８２の右辺を左に移動させる。また、下方向指示キー１３６５が押下されると、読み取り範囲の拡張に応じて第一矩形枠１３８２の下辺を下方向に移動させ、上方向指示キー１３６７が押下されると第一矩形枠１３８２の下辺を上方向に移動させる。また、範囲変更部１４２は、第一矩形枠１３８２の右上角に方向指示キー１３６１、１３６３、１３６５、１３６７の操作によって動かない読み取り範囲の外縁の頂点を明示するための原点マーク１３８６を画面１３８０に表示してもよい。ステップＳ２６及びステップＳ２８は、読み取り範囲の大きさの確定操作が行われるまで繰り返される。
【００３４】
ステップＳ３０では、読み取り範囲がプレスキャン範囲内であるかを判定する。具体的には、範囲変更部１４２として機能する制御部１３０がプレスキャン範囲の境界を特定し、読み取り範囲がプレスキャン範囲に入っていれば、ステップＳ３０に進み、読み取り範囲がプレスキャン範囲の外側領域を含んでいれば、ステップＳ３２に進む。
ステップＳ３２では、読み取り範囲設定部１４８において、読み取り範囲の再設定を行う。具体的には、読み取り範囲とプレスキャン範囲の重複領域を算出し、重複領域内で印刷用紙のアスペクト比と同じアスペクト比で、重心が重複領域の重心と一致し、最大面積の矩形の領域を読み取り範囲として再設定する。この再設定された読み取り範囲は、請求項に記載の第二読み取り範囲に相当する。このとき、読み取り範囲設定部１４８として機能する制御部１３０は、再設定された読み取り範囲に対応する矩形枠を第二矩形枠１３８３として画面１３８０に表示してもよい。
【００３５】
ステップＳ３４では、プレスキャン画像１３８４から読み取り範囲に設定された領域の画像を切り出し、切り出したスキャン画像１３８７を画面表示する。具体的には、範囲変更部１４２として機能している制御部１３０は、プレスキャン画像１３８４の読み取り範囲内の画像を切り出し、切り出したスキャン画像１３８７を、図１１に示すように表示部１３８の画面内に拡大表示する。プレスキャン画像１３８４の読み取り範囲の画像を拡大表示することにより、ユーザは読み取り範囲を細かく設定可能になる。
【００３６】
ステップＳ３６では、スキャナ１は、読み取り範囲の位置及び大きさを完全に確定させる操作が行われたか否かを判定し、確定操作が行われるとステップＳ３８に進み、行われないとステップＳ１８に進んでさらに読み取り範囲の変更操作を続ける。具体的には、範囲変更部１４２として機能している制御部１３０は、ＯＫキー１３６２が押下されたか否かによって完全な確定操作の有無を判定する。
【００３７】
ステップＳ３８では、スキャナ１は、印刷用紙サイズ及び印刷品質に応じた解像度で、読み取り範囲を読み取り、スキャン画像を生成する。解像度設定部１４４は、読み取り範囲と、印刷品質と印刷用紙サイズとに応じてスキャン画像のサイズを特定し、スキャン画像のサイズと読み取り範囲に応じて解像度を設定する。結果的には、スキャン画像の対角線サイズがＸ、読み取り範囲の対角線サイズがＹ、プレスキャン画像の生成時の撮像部１２の解像度が１００ｄｐｉであるとすると、スキャン画像生成時の解像度は、１００×Ｘ／Ｙである。スキャン画像取得部１５０は、読み取り範囲設定部１４８で設定された読み取り範囲を解像度設定部１４４で設定された解像度で撮像部１２に読み取らせ、撮像部１２からスキャン画像を出力させる。
【００３８】
ステップＳ４０では、スキャナ１は、印刷設定に応じてプリンタ２にスキャン画像を印刷させる。具体的には、印刷制御部１５２は、スキャン画像にハーフトーン処理、インターレース処理等を施して印刷データを生成し、印刷設定に応じた印刷コマンドと印刷データをプリンタ２に出力する。プリンタ２は図１２に示すように印刷コマンドと印刷データに応じてスキャン画像を印刷範囲５２にインクを吹き付けて用紙５０に画像を印刷する。図１２（Ａ）に示すように、「フチ有り」印刷の印刷範囲５２は設定された余白分だけ用紙５０より小さい。図１２（Ｂ）に示すように、「フチ無し」印刷の印刷範囲５２は設定されたはみ出し印刷幅だけ用紙５０より若干大きい。
【００３９】
ステップＳ４２では、スキャナ１はユーザによって終了操作が行われたかを判定し、終了操作が行われない場合は、ステップＳ１２に進み、上述の処理を繰り返す。
以上説明した本発明の実施例によると、スキャナ１は印刷用紙サイズに応じた適切な領域のスキャン画像を無駄なく取得することができる。すなわちスキャナ１は、切り出し処理せずにそのまま印刷できるサイズのスキャン画像を取得するため、スキャン画像の取得処理及び印刷処理に無駄がない。また、スキャナ１によると、印刷スキャン画像が画面に表示されるためユーザは印刷結果を予想することができる。また、読み取り範囲としてユーザが指定した領域にプレスキャン範囲の外側領域が含まれていると、自動的にプレスキャン範囲の外側領域を含まない領域を読み取り領域として再設定するので、プレスキャン範囲の外側領域を意識することなく読み取り領域を設定することができる。またスキャナ１は、印刷用紙サイズ応じて撮像部１２の解像度を自動設定するため、印刷品質を高く維持しつつ、読み取りから印刷までの処理を高速化することができる。比較的小さな印刷用紙サイズが設定されている場合には、撮像部１２の解像度を比較的低く設定しても印刷品質を高く維持することができるからである。
【００４０】
なお、上述した実施例では、請求項に記載した撮像制御装置がスキャナ１にある形態を説明したが、スキャナを制御するＰＣを撮像制御装置として本発明を実施することもできる。すなわち、スキャナ及びＰＣで撮像システムを構成し、ＰＣでコピー機能を実現するための制御プログラム（本発明の撮像制御プログラムに相当する。）を実行し、ＰＣの制御下でスキャナが原稿を読み取って得たスキャン画像をＰＣの制御下でプリンタが印刷してもよい。この場合、ＰＣのマウス、ディスプレイ、キーボード等が請求項に記載の用紙設定手段及び範囲変更手段に相当することになる。
また、上述した実施例では、読み取り範囲に対応した第一矩形枠の変更操作を可能な形態を説明したが、変更操作不能な第一矩形枠を印刷用紙サイズに応じて設定してもよい。
【図面の簡単な説明】
【００４１】
【図１】本発明の一実施例によるスキャナの作動を示すフローチャート。
【図２】本発明の一実施例によるスキャナの外観を示す斜視図。
【図３】本発明の一実施例によるスキャナの内部構造を示す模式図。
【図４】本発明の一実施例によるスキャナを示すブロック図。
【図５】本発明の一実施例による制御プログラムを示すブロック図。
【図６】本発明の一実施例に係る画面を示す図。
【図７】本発明の一実施例に係る画面を示す図。
【図８】本発明の一実施例に係る画面及び操作部を示す図。
【図９】本発明の一実施例に係る画面及び操作部を示す図。
【図１０】本発明の一実施例に係る画面及び操作部を示す図。
【図１１】本発明の一実施例に係る画面及び操作部を示す図。
【図１２】本発明の一実施例に係る印刷結果を示す図。
【図１３】従来の画像処理システムの画面及び印刷結果を示す図。
【符号の説明】
【００４２】
１  スキャナ（撮像システム）、２  プリンタ（印刷装置）、３  リムーバブルメモリ（外部記憶媒体）、１２  撮像部、１０４  原稿、１３０  制御部（撮像制御装置）、１３４  メモリコントローラ（保存手段）、１３６  操作部（用紙設定手段）、１３８  表示部（用紙設定手段、読み取り範囲表示手段）
【図１】
2006033136.tif 000003
【図２】
2006033136.tif 000004
【図３】
2006033136.tif 000005
【図４】
2006033136.tif 000006
【図５】
2006033136.tif 000007
【図６】
2006033136.tif 000008
【図７】
2006033136.tif 000009
【図８】
2006033136.tif 000010
【図９】
2006033136.tif 000011
【図１０】
2006033136.tif 000012
【図１１】
2006033136.tif 000013
【図１２】
2006033136.tif 000014
【図１３】
2006033136.tif 000015